(57)【要約】【課題】本人または他人による主観的な判断に基づいてレコメンド情報を表示することが可能な表示装置、表示装置の制御方法およびプログラムを提供する。【解決手段】本発明の表示装置１は、コンテンツ間の相性度を示す相性情報を入力する相性情報入力部１１０と、プレーヤーにロードされているコンテンツ間の相性度を表示する相性度表示部１４０と、ユーザーに推奨すべきコンテンツを表示するレコメンド表示部１５０と、相性情報に基づいて相性度表示部１４０およびレコメンド表示部１５０の表示制御を行う表示制御部１５０と、を備え、表示制御部１５０は、複数のプレーヤーにそれぞれコンテンツがロードされているとき、それらの相性度を相性度表示部１４０に表示し、任意のコンテンツが楽曲リストから選択またはプレーヤーにロードされているとき、当該任意のコンテンツと相性の良い他のコンテンツをレコメンド表示部１５０に表示する。【選択図】図１
2015170264.tif 000002
【特許請求の範囲】
【請求項１】
ユーザーに推奨すべきコンテンツを表示するレコメンド表示部と、
コンテンツ間の相性度を示す相性情報を入力する相性情報入力部と、
前記相性情報入力部により入力された前記相性情報を記憶する相性情報記憶部と、
任意のコンテンツが選択またはロードされているとき、前記相性情報に基づいて、当該任意のコンテンツと相性の良い他のコンテンツを前記レコメンド表示部に表示する表示制御部と、を備えたことを特徴とする表示装置。
【請求項２】
ユーザーに推奨すべきコンテンツを表示するレコメンド表示部と、
１以上の外部装置から、コンテンツ間の相性度を示す相性情報を取得する相性情報取得部と、
前記相性情報取得部により取得された前記相性情報を記憶する相性情報記憶部と、
任意のコンテンツが選択またはロードされているとき、前記相性情報に基づいて、当該任意のコンテンツと相性の良い他のコンテンツを前記レコメンド表示部に表示する表示制御部と、を備えたことを特徴とする表示装置。
【請求項３】
前記任意のコンテンツおよび前記他のコンテンツのコンテンツ関連情報に基づいて、前記任意のコンテンツに対する前記他のコンテンツの推奨度を算出する推奨度算出部をさらに備え、
前記表示制御部は、前記任意のコンテンツと相性の良い他のコンテンツが複数存在する場合、前記推奨度算出部により算出された推奨度にしたがって、当該複数の他のコンテンツを前記レコメンド表示部に列記することを特徴とする請求項１または２に記載の表示装置。
【請求項４】
前記推奨度算出部は、前記任意のコンテンツおよび前記他のコンテンツの再生履歴、並びに前記他のコンテンツの登録履歴を考慮して、前記推奨度を算出することを特徴とする請求項３に記載の表示装置。
【請求項５】
前記推奨度算出部は、前記任意のコンテンツおよび前記他のコンテンツの再生履歴に基づいて、前記任意のコンテンツと繋げて再生した回数の多いと判定した前記他のコンテンツについては、前記推奨度を高く算出することを特徴とする請求項４に記載の表示装置。
【請求項６】
選択されているコンテンツ、およびロードされているコンテンツのいずれを、前記任意のコンテンツとするかについて選択する対象コンテンツ選択部をさらに備えたことを特徴とする請求項１ないし５のいずれか１項に記載の表示装置。
【請求項７】
複数のプレーヤーにコンテンツがロードされている場合であって、当該複数のプレーヤーのいずれかにロードされているコンテンツを前記任意のコンテンツとする場合、
前記対象コンテンツ選択部は、前記任意のコンテンツが再生されるプレーヤーをさらに選択することを特徴とする請求項６に記載の表示装置。
【請求項８】
２つのプレーヤーにコンテンツがロードされている場合、
前記２つのプレーヤーにロードされているコンテンツの前記相性度を表示する相性度表示部をさらに備え、
前記表示制御部は、前記２つのプレーヤーにロードされている２つのコンテンツの前記相性情報に基づいて、前記相性度表示部に前記相性度を表示することを特徴とする請求項７に記載の表示装置。
【請求項９】
前記１以上の外部装置の中から、所望の外部装置を選択する外部装置選択部をさらに備え、
前記相性情報取得部は、前記外部装置選択部により選択された外部装置から、前記相性情報を取得することを特徴とする請求項２に記載の表示装置。
【請求項１０】
前記相性度は、相性が良いか否かの二値で表され、
前記相性情報取得部により取得した前記相性情報に基づき、三段論法により前記相性情報を更新する相性情報更新部をさらに備えたことを特徴とする請求項２に記載の表示装置。
【請求項１１】
前記相性度は、３段階以上のレベルで表され、
前記推奨度算出部は、前記相性度のレベルを考慮して前記推奨度を算出することを特徴とする請求項３ないし５のいずれか１項に記載の表示装置。
【請求項１２】
ユーザーに推奨すべきコンテンツを表示する表示装置の制御方法であって、
コンテンツ間の相性度を示す相性情報を入力する相性情報入力ステップと、
入力された前記相性情報を記憶する相性情報記憶ステップと、
任意のコンテンツが選択または再生されているとき、前記相性情報に基づいて、当該任意のコンテンツと相性の良い他のコンテンツを表示する表示制御ステップと、を実行することを特徴とする表示装置の制御方法。
【請求項１３】
コンピューターに、請求項１２に記載の表示装置の制御方法における各ステップを実行させるためのプログラム。
【発明の詳細な説明】
【技術分野】
【０００１】
本発明は、レコメンド情報を表示する表示装置、表示装置の制御方法およびプログラムに関する。
【背景技術】
【０００２】
従来、この種の技術として、ユーザーが指定した複数の楽曲についてコード進行を検出し、コード進行が適合する楽曲をユーザーにレコメンドする技術が提案されている（例えば、特許文献１）。また、再生中の楽曲に対して、ＢＰＭ（Beats  Per  Minute）や調性（key）の近い楽曲をレコメンドするＤＪ用アプリケーションも既に知られている。
【先行技術文献】
【特許文献】
【０００３】
【特許文献１】特開２０１２−１５０２４４号公報
【発明の概要】
【発明が解決しようとする課題】
【０００４】
ところが実際には、任意の楽曲に対して、コード進行、ＢＰＭ、調性等が異なっていても、相性が良い楽曲も存在する。しかしながら、上記のような楽曲特徴量に基づくレコメンド方法では、人が耳で聴いたときに相性が良いと感じる楽曲でも、楽曲特徴量がかけ離れている楽曲はレコメンドできない。また、このような従来の方法でレコメンドできない楽曲の相性は、ＤＪ（Disc  Jockey）等のプロの経験に基づいて判断、若しくは個人の好みに依る主観的な情報であり、データベース化されている訳ではない。したがって、主観的な判断に基づくレコメンドは不可能である。また、ＤＪは、膨大な数の楽曲を扱うため、過去に記憶していた相性の良い楽曲の組合せ（自身の経験に基づく主観的な相性情報）を、時間の経過と共に忘れてしまうといった問題がある。
【０００５】
本発明は、上記の問題点に鑑み、本人または他人による主観的な判断に基づいてレコメンド情報を表示することが可能な表示装置、表示装置の制御方法およびプログラムを提供することを課題とする。
【課題を解決するための手段】
【０００６】
本発明の表示装置は、ユーザーに推奨すべきコンテンツを表示するレコメンド表示部と、コンテンツ間の相性度を示す相性情報を入力する相性情報入力部と、相性情報入力部により入力された相性情報を記憶する相性情報記憶部と、任意のコンテンツが選択またはロードされているとき、相性情報に基づいて、当該任意のコンテンツと相性の良い他のコンテンツをレコメンド表示部に表示する表示制御部と、を備えたことを特徴とする。
【０００７】
本発明の表示装置は、ユーザーに推奨すべきコンテンツを表示するレコメンド表示部と、１以上の外部装置から、コンテンツ間の相性度を示す相性情報を取得する相性情報取得部と、相性情報取得部により取得された相性情報を記憶する相性情報記憶部と、任意のコンテンツが選択またはロードされているとき、相性情報に基づいて、当該任意のコンテンツと相性の良い他のコンテンツをレコメンド表示部に表示する表示制御部と、を備えたことを特徴とする。
【０００８】
上記の表示装置において、任意のコンテンツおよび他のコンテンツのコンテンツ関連情報に基づいて、任意のコンテンツに対する他のコンテンツの推奨度を算出する推奨度算出部をさらに備え、表示制御部は、任意のコンテンツと相性の良い他のコンテンツが複数存在する場合、推奨度算出部により算出された推奨度にしたがって、当該複数の他のコンテンツをレコメンド表示部に列記することを特徴とする。
【０００９】
上記の表示装置において、推奨度算出部は、任意のコンテンツおよび他のコンテンツの再生履歴、並びに他のコンテンツの登録履歴を考慮して、推奨度を算出することを特徴とする。
【００１０】
上記の表示装置において、推奨度算出部は、任意のコンテンツおよび他のコンテンツの再生履歴に基づいて、任意のコンテンツと繋げて再生した回数の多いと判定した他のコンテンツについては、推奨度を高く算出することを特徴とする。
【００１１】
上記の表示装置において、選択されているコンテンツ、およびロードされているコンテンツのいずれを、任意のコンテンツとするかについて選択する対象コンテンツ選択部をさらに備えたことを特徴とする。
【００１２】
上記の表示装置において、複数のプレーヤーにコンテンツがロードされている場合であって、当該複数のプレーヤーのいずれかにロードされているコンテンツを任意のコンテンツとする場合、対象コンテンツ選択部は、任意のコンテンツが再生されるプレーヤーをさらに選択することを特徴とする。
【００１３】
上記の表示装置において、２つのプレーヤーにコンテンツがロードされている場合、２つのプレーヤーにロードされているコンテンツの相性度を表示する相性度表示部をさらに備え、表示制御部は、２つのプレーヤーにロードされている２つのコンテンツの相性情報に基づいて、相性度表示部に相性度を表示することを特徴とする。
【００１４】
上記の表示装置において、１以上の外部装置の中から、所望の外部装置を選択する外部装置選択部をさらに備え、相性情報取得部は、外部装置選択部により選択された外部装置から、相性情報を取得することを特徴とする。
【００１５】
上記の表示装置において、相性度は、相性が良いか否かの二値で表され、相性情報取得部により取得した相性情報に基づき、三段論法により相性情報を更新する相性情報更新部をさらに備えたことを特徴とする。
【００１６】
上記の表示装置において、相性度は、３段階以上のレベルで表され、推奨度算出部は、相性度のレベルを考慮して推奨度を算出することを特徴とする。
【００１７】
本発明の表示装置の制御方法は、ユーザーに推奨すべきコンテンツを表示する表示装置の制御方法であって、コンテンツ間の相性度を示す相性情報を入力する相性情報入力ステップと、入力された相性情報を記憶する相性情報記憶ステップと、任意のコンテンツが選択または再生されているとき、相性情報に基づいて、当該任意のコンテンツと相性の良い他のコンテンツを表示する表示制御ステップと、を実行することを特徴とする。
【００１８】
本発明のプログラムは、コンピューターに、上記の表示装置の制御方法における各ステップを実行させることを特徴とする。
【図面の簡単な説明】
【００１９】
【図１】第１実施形態に係る表示装置の機能構成を示すブロック図である。
【図２】コンテンツ情報記憶部の説明図である。
【図３】表示装置により表示されるＧＵＩレイアウトの一例を示す図である。
【図４】図３のＧＵＩにおいて、マッチボタンが押下された後の表示例を示す図である。
【図５】図３のＧＵＩにおいて、対象コンテンツとして楽曲リストが選択され、且つ楽曲リストから任意の楽曲が選択された後の表示例を示す図である。
【図６】表示装置による相性情報更新処理を示すフローチャートである。
【図７】表示装置によるレコメンド曲表示処理を示すフローチャートである。
【図８】第２実施形態に係る表示システムの機能構成を示すブロック図である。
【発明を実施するための形態】
【００２０】
以下、本発明の一実施形態に係る表示装置、表示装置の制御方法およびプログラムについて、添付図面を参照しながら詳細に説明する。以下の実施形態では、本発明の表示装置を、ＤＪ（Disc  Jockey）がパフォーマンスおよびその仕込み作業（前準備）に用いるＤＪ用アプリケーションによって実現する場合を例示する。また、コンテンツとして楽曲コンテンツ（音楽コンテンツ）を例示する。
【００２１】
[第１実施形態]
図１は、第１実施形態に係る表示装置１のブロック図である。表示装置１は、主な機能構成として、相性情報入力部１１０、コンテンツ情報記憶部１３０、相性度表示部１４０、レコメンド表示部１５０、表示制御部１６０、推奨度算出部１７０および対象コンテンツ選択部１８０を備えている。
【００２２】
本実施形態の表示装置１は、例えばＰＣ（Personal  Computer）であり、ディスプレイ、キーボード、マウス、ハードディスクドライブ、ＣＰＵ（Central  Processing  Unit）等の制御機構など、一般的なハードウェアを備えている（いずれも図示省略）。また、図１に示した各部（機能構成）は、ハードディスクドライブに格納された上記のＤＪ用アプリケーションによって実現される。
【００２３】
相性情報入力部１１０は、請求項の「入力部」に相当し、楽曲コンテンツ（以下、単に「楽曲」と称する）間の相性度を示す相性情報を入力する。本実施形態では、２つのプレーヤー（プレーヤー表示部２１，３１，図３等参照）に楽曲がロードされている状態で、マッチボタン３０を押下することにより相性情報を入力する。
【００２４】
コンテンツ情報記憶部１３０は、各楽曲に関連するコンテンツ情報を記憶する。図２に示すように、コンテンツ情報としては、楽曲のタイトル、アルバム、アーティスト、ＢＰＭ、調性、ジャンルなどの他、上記の相性情報を記憶する（請求項の「相性情報記憶部」に相当）。本実施形態において、相性情報とは、相性が良い楽曲を示す。つまり、同図のように、「曲Ａ」について、「曲Ｂ」，「曲Ｃ」，「曲Ｄ」が登録されている場合、「曲Ａ」に対して「曲Ｂ」，「曲Ｃ」，「曲Ｄ」は相性が良い楽曲であることを意味する。また、相性情報は２曲間の相性を示すものであるから、「曲Ｂ」，「曲Ｃ」，「曲Ｄ」についても、相性情報として「曲Ａ」が登録される（同図では、「曲Ｂ」についてのみ図示）。なお、コンテンツ情報としては、その他、アートワーク（アルバムジャケットの画像など）、楽曲評価、楽曲の長さ、楽曲波形などを記憶しても良い。また、コンテンツ情報記憶部１３０は、表示装置１の内部ではなく、表示装置１と通信可能な外部装置（インターネット上のサーバーやＵＳＢデバイスなど）に設けても良い。
【００２５】
相性度表示部１４０は、２つのプレーヤーにロードされている楽曲の相性度を表示する。本実施形態では、マッチボタン３０の点灯／非点灯により、相性度（相性が良いか否かの二値）を表示する。ここで、マッチボタン３０の点灯は、２曲間の相性が良いことを意味し、マッチボタン３０の非点灯は、２曲間の相性が良くないことを意味する。
【００２６】
レコメンド表示部１５０は、ユーザーに推奨すべき楽曲を表示する。本実施形態では、「プレーヤー１」にロードされている楽曲、「プレーヤー２」にロードされている楽曲、楽曲リストにおいて選択されている楽曲、のいずれかと相性の良い１以上の楽曲を表示する（レコメンド表示領域４３，図３等参照）。
【００２７】
表示制御部１６０は、相性度表示部１４０およびレコメンド表示部１５０の表示制御を行う。具体的には、２つのプレーヤーにロードされている２つの楽曲の相性情報に基づいて、相性度表示部１４０（マッチボタン３０）に相性度を表示する。また、任意の楽曲が、楽曲リストにおいて選択またはプレーヤーにロードされているとき、当該任意の楽曲の相性情報に基づいて、当該任意の楽曲と相性の良い他の楽曲をレコメンド表示部１５０に表示する。
【００２８】
対象コンテンツ選択部１８０は、レコメンド表示部１５０に相性の良い楽曲を表示するにあたり、比較元の楽曲となる対象楽曲を選択する（対象楽曲選択領域４２，図３等参照）。具体的には、「プレーヤー１」にロードされている楽曲、「プレーヤー２」にロードされている楽曲、楽曲リストにおいて選択されている楽曲、のいずれかを選択する。
【００２９】
推奨度算出部１７０は、対象コンテンツ選択部１８０により選択された対象楽曲と相性の良い他の楽曲が複数存在する場合、これら複数の他の楽曲について、それぞれ推奨度を算出する。具体的には、対象楽曲のコンテンツ情報と、他の楽曲のコンテンツ関連情報の近似性に基づいて、推奨度を算出する。例えば、ＢＰＭが近い楽曲、調性が近い楽曲、アーティストが同じ楽曲、ジャンルが同じ楽曲については、推奨度が高くなる。表示制御部１６０は、対象楽曲と相性の良い他の楽曲が複数存在する場合、推奨度算出部１７０により算出された推奨度にしたがって（推奨度の高い順に）、当該複数の他の楽曲をレコメンド表示部１５０に列記する。
【００３０】
なお、推奨度算出部１７０は、上記のコンテンツ情報に含まれる各項目を総合的に判断して推奨度を算出しても良いし、特定の項目に基づいて推奨度を算出しても良い。また、特定の項目を環境設定等により、ユーザーが選択可能としても良い。
【００３１】
次に、図３を参照し、ＤＪ用アプリケーションの一機能として表示装置１のディスプレイに表示されるＧＵＩについて説明する。同図に示すように、ＧＵＩは、プレーヤー部１１およびブラウズ部１２から成る。
【００３２】
プレーヤー部１１は、「プレーヤー１」にロードされている楽曲を表示する第１プレーヤー表示部２１と、「プレーヤー２」にロードされている楽曲を表示する第２プレーヤー表示部３１を含む。各プレーヤー表示部２１，３１は、プレーヤー名を表示するプレーヤー名表示領域２２，３２、再生／一時停止ボタン２３，３３等の操作子、再生中の楽曲の時間表示、ＢＰＭ、全体波形などを表示する情報表示領域２４，３４、を有する。
【００３３】
また、各プレーヤー表示部２１，３１の右側には、マッチボタン３０が配置されている。当該マッチボタン３０は、ユーザーが「プレーヤー１」と「プレーヤー２」の楽曲を再生し（繋げて再生、または同時再生（ミキシング再生）した結果）、相性が良いと判断した際に押下（マウスによるクリック操作など）される。このマッチボタン３０の押下により、「プレーヤー１」と「プレーヤー２」の両楽曲のコンテンツ情報として相性情報が登録される。
【００３４】
なお、図３に示すように、マッチボタン３０が非点灯の状態で押下された場合、図４に示すように、マッチボタン３０が点灯状態となる。つまり、マッチボタン３０の点灯は、「プレーヤー１」と「プレーヤー２」の楽曲間の相性が良いことを意味する。また、各プレーヤーに楽曲がロードされたとき、既に相性情報が登録されている楽曲の組合せである場合は、図４に示すように、マッチボタン３０が点灯状態となる。この状態でマッチボタン３０が押下されると、図３に示すように、マッチボタン３０が非点灯状態となり、両楽曲の相性情報が削除される。つまり、「プレーヤー１」と「プレーヤー２」の楽曲を再生した結果、ユーザーにより相性が悪いと判断されたときは、相性情報の削除が可能である。
【００３５】
一方、ブラウズ部１２は、楽曲リスト表示領域４１と、対象楽曲選択領域４２と、レコメンド表示領域４３と、を含む。楽曲リスト表示領域４１は、各楽曲のコンテンツ情報（同図の例では、タイトル、アーティスト、アルバム、ジャンル）を行単位で表示すると共に、各コンテンツ情報を列方向に列記する。
【００３６】
対象楽曲選択領域４２は、レコメンド表示領域４３に相性の良い楽曲を表示させる際の対象となる楽曲（以下、「レコメンド対象」と称する）を選択する。本実施形態では、プルダウンメニューにより、「プレーヤー１（プレーヤー１にロードされた楽曲）」、「プレーヤー２（プレーヤー２にロードされた楽曲）」、「楽曲リスト（楽曲リスト表示領域４１において選択された楽曲）」のいずれかを選択可能となっている。図３の例では、対象楽曲選択領域４２にて「プレーヤー１」が選択され、「プレーヤー１」にロードされた「曲Ａ」と相性の良い楽曲が、レコメンド表示領域４３に表示されている例を示している。
【００３７】
レコメンド表示領域４３は、ユーザーに推奨すべき楽曲として、対象楽曲選択領域４２で選択された楽曲と相性の良い楽曲の一覧を表示する。上記のとおり、相性の良い楽曲が複数存在する場合、推奨度算出部１７０により算出された推奨度の高い順に楽曲を表示する。図３の例では、「曲Ａ」とＢＰＭの近い順に、推奨すべき楽曲（以下、「レコメンド曲」と称する）を列記している（「曲Ａ」のＢＰＭは、「１２０」を想定）。なお、図４に示すように、対象楽曲選択領域４２で「楽曲リスト」が選択され、且つ楽曲リスト表示領域４１で任意の楽曲（符号５１参照）が選択された場合、レコメンド表示領域４３には、選択された楽曲（図の例では、「曲Ｂ」）と相性の良いレコメンド曲（同図の例では、「曲Ａ」，「曲Ｃ」，「曲Ｄ」）が、選択された楽曲のＢＰＭと近い順に列記される（「曲Ｂ」のＢＰＭは、「１２５」を想定）。
【００３８】
次に、図６のフローチャートを参照し、相性情報更新処理の流れを説明する。当該フローチャートは、図３と図４の画面遷移に対応している。表示装置１（ＰＣ）は、２つの楽曲（ここでは、「曲Ａ」と「曲Ｅ」）がそれぞれ「プレーヤー１」と「プレーヤー２」にロードされると（Ｓ０１，Ｓ０２）、「曲Ａ」と「曲Ｅ」の相性が良いことを示す相性情報がコンテンツ情報記憶部１３０に登録されているか否かを判別する（Ｓ０３）。相性情報が登録されていない場合は（Ｓ０３：Ｎｏ）、マッチボタンの押下に伴い（Ｓ０４：Ｙｅｓ）、「曲Ａ」と「曲Ｅ」の相性が良いことを示す相性情報を登録する（Ｓ０５）。つまり、「曲Ａ」の相性情報として「曲Ｅ」を登録し、「曲Ｅ」の相性情報として「曲Ａ」を登録する。
【００３９】
一方、相性情報が登録されている場合は（Ｓ０３：Ｙｅｓ）、マッチボタンの押下に伴い（Ｓ０６：Ｙｅｓ）、「曲Ａ」と「曲Ｅ」の相性が良いことを示す相性情報を削除する（Ｓ０７）。つまり、「曲Ａ」の相性情報から「曲Ｅ」を削除し、「曲Ｅ」の相性情報から「曲Ａ」を削除する。
【００４０】
次に、図７のフローチャートを参照し、レコメンド曲表示処理の流れを説明する。当該フローチャートは、図５の画面に対応している。ユーザーの操作により、楽曲リスト表示領域４１においてレコメンド対象として「曲Ｂ」が選択されると（Ｓ１１）、表示装置１（ＰＣ）は、「曲Ｂ」と相性が良い楽曲をコンテンツ情報記憶部１３０から検索する（Ｓ１２）。つまり、相性情報として「曲Ｂ」が登録されている楽曲を検索する。ここで、「曲Ｂ」と相性が良い楽曲が存在しない場合は（Ｓ１３：Ｎｏ）、レコメンド表示領域４３にレコメンド曲を表示することなく、処理を終了する。
【００４１】
一方、「曲Ｂ」と相性が良い楽曲が存在する場合は（Ｓ１３：Ｙｅｓ）、相性が良い楽曲が複数存在するか否かを判別する（Ｓ１４）。相性が良い楽曲が複数存在する場合は（Ｓ１４：Ｙｅｓ）、推奨度算出部１７０により算出された推奨度にしたがって、表示順序を決定する（Ｓ１５）。その後、決定した表示順序で、「曲Ｂ」と相性が良い複数のレコメンド曲をレコメンド表示領域４３に表示する（Ｓ１６）。また、相性が良い楽曲が複数存在しない場合は（Ｓ１４：Ｎｏ）、「曲Ｂ」と相性が良い１つの楽曲をレコメンド表示領域４３に表示する（Ｓ１６）。
【００４２】
以上説明したとおり、第１実施形態では、ユーザーの主観的な判断に基づいて相性情報を登録し、当該相性情報に基づいてレコメンド曲を表示する。これにより、「プレーヤー１」または「プレーヤー２」にロードされている楽曲や楽曲リストにおいて選択されている楽曲（レコメンド対象）に対し、楽曲特徴量がかけ離れている楽曲であっても、主観的に相性が良いと判断できる楽曲をレコメンドすることができる。
【００４３】
また、レコメンド対象に対し、相性が良い楽曲が複数存在する場合は、客観的な情報であるコンテンツ関連情報に基づいて推奨度を決定し、当該推奨度にしたがって表示順序を決定するため、ユーザーは、表示された複数のレコメンド曲の中でどの楽曲が主観的且つ客観的に推奨度が高いかを把握することができる。
【００４４】
また、「プレーヤー１」と「プレーヤー２」にロードされた楽曲間の相性度を表示するため（相性度表示部１４０）、ユーザーは、ロードした時点でそれらの相性を把握することができる。また、２つの楽曲を再生（試聴）した結果、相性が良いと判断した場合は、マッチボタン３０を押下して点灯させ、相性が良くないと判断したときは、マッチボタン３０を押下して非点灯とするなど、マッチボタン３０の押下のみで、容易に相性情報を書き換えることができる。
【００４５】
なお、以下の変形例を採用可能である。
[変形例１]
上記の実施形態では、複数のレコメンド曲が存在する場合、コンテンツ関連情報に基づいて推奨度を決定したが、当該コンテンツ関連情報に加え、またはコンテンツ関連情報に代えて、コンテンツの再生履歴や登録履歴に基づいて推奨度を決定しても良い。例えば、コンテンツ情報の一部として再生履歴（繋げて再生した楽曲とその回数など）を記憶しておき、レコメンド対象（任意のコンテンツ）が決定した時点で、各レコメンド曲（他のコンテンツ）の再生履歴に基づいて推奨度を算出する（繋げて再生した回数が多い楽曲ほど推奨度を高くする）ことが考えられる。その他、再生回数が多いレコメンド曲の推奨度を高くする、登録時期が遅い楽曲（最近登録された楽曲）の推奨度を高くする、なども考えられる。また、コンテンツの再生履歴や登録履歴以外に、評価が高い楽曲の推薦度を高くする、ユーザーが環境設定等で設定した「お気に入りアーティスト」や「お気に入りジャンル」に該当する楽曲の推薦度を高くする、なども考えられる。
【００４６】
[変形例２]
また、上記の実施形態では、相性度を、相性が良いか否かの二値で表したが、３段階以上のレベルで表しても良い。つまり、「プレーヤー１」と「プレーヤー２」にロードされた楽曲間の相性度を、３段階以上のレベルで設定しても良い。また、この場合、相性度のレベルを考慮して推奨度を算出しても良い。つまり、相性度のレベルが高い楽曲ほど推奨度を高くして、レコメンド表示領域４３に優先表示すれば良い。さらに、コンテンツ関連情報（コンテンツの再生履歴や登録履歴を含む）と相性度のレベルを総合的に判断して推奨度を算出しても良い。例えば、コンテンツ関連情報によって可変するパラメータと、相性度のレベルを示すパラメータを含む所定の計算式により、推奨度を算出することが考えられる。
【００４７】
[変形例３]
また、上記の実施形態では、「プレーヤー１」と「プレーヤー２」に楽曲がロードされている状態で、マッチボタン３０を押下することにより相性情報を入力したが、他の方法によって相性情報を入力しても良い。例えば、楽曲リストにおいて複数の楽曲を選択することにより、それらの楽曲の相性情報を登録可能としても良い。
【００４８】
[変形例４]
また、上記の実施形態では、選択またロードされている任意のコンテンツと相性の良い他のコンテンツをレコメンド表示領域４３に表示したが、逆に任意のコンテンツと相性の悪い他のコンテンツ（相性度が低いコンテンツ）を表示しても良い。また、相性の良いコンテンツと相性の悪いコンテンツの両方を、それぞれ別の領域に表示しても良い。
【００４９】
［第２実施形態］
次に、図８を参照し、本発明の第２実施形態について説明する。上記の第１実施形態では、相性情報入力部１１０によって相性情報を入力したが、本実施形態では、外部装置３００から相性情報を取得する。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００５０】
図８は、第２実施形態に係る表示システムＳＹの機能構成を示すブロック図である。表示システムＳＹは、表示装置１（ＰＣ）と、１以上の外部装置３００と、これらを接続するネットワークＮＷと、で構成される。ネットワークＮＷとしては、インターネットやローカルネットワーク（ＬＡＮ）などが考えられる。また、外部装置３００は、少なくとも楽曲間の相性情報が登録されているデータベースを有する。本実施形態では、表示装置１と同様の構成であり、ＤＪ用アプリケーションがインストールされているものとする。また、外部装置３００は、ライブハウスやクラブごとに導入されているものとする。
【００５１】
本実施形態の表示装置１は、第１実施形態（図１参照）と比較して、相性情報入力部１１０が省略され、相性情報取得部１２０、外部装置選択部２１０および相性情報更新部２２０が追加された構成となっている。
【００５２】
外部装置選択部２１０は、１以上の外部装置３００の中から、所望の外部装置３００を選択する。相性情報取得部１２０は、外部装置選択部２１０により選択された外部装置３００から相性情報を取得する。選択方法については特に図示しないが、ネットワーク接続された外部装置３００を所有するライブハウスやクラブを選択し、それらの外部装置３００から相性情報を取得することが考えられる。
【００５３】
相性情報更新部２２０は、相性情報取得部１２０により取得した相性情報に基づき、三段論法により相性情報を更新する。例えば、相性情報が、相性が良いか否かを示す場合であって、「外部装置Ｘ」から「曲Ａ」と「曲Ｂ」の相性が良いことを示す相性情報を取得し、「外部装置Ｙ」から「曲Ｂ」と「曲Ｃ」の相性が良いことを示す相性情報を取得した場合、「曲Ａ」と「曲Ｃ」の相性も良いものとして、コンテンツ情報記憶部１３０内の相性情報を更新する。つまり、「曲Ａ」の相性情報に「曲Ｃ」を追加し、「曲Ｃ」の相性情報に「曲Ａ」を追加する。また、複数の外部装置３００から相性情報を取得した楽曲の組合せについては、相性度が高いものとして相性情報を更新する（例えば、相性度のレベルを上げる）処理を行っても良い。
【００５４】
なお、相性度表示部１４０やレコメンド表示部１５０による表示処理については、第１実施形態と同様であるため説明を省略する。また、推奨度算出部１７０については、外部装置３００からコンテンツ情報（相性情報を含む）を取得し、そのコンテンツ情報に基づいて推奨度を算出しても良い。
【００５５】
以上説明したとおり、第２実施形態によれば、表示装置１が外部装置３００と接続されているため、他人の主観に基づく相性情報を取得することができる。また、相性情報の取得元となる外部装置３００を選択できるため、例えば好きなライブハウスや好きなＤＪのレコメンド情報を知ることができる。さらに、複数の外部装置３００から取得した相性情報に基づいて、コンテンツ情報記憶部１３０内の相性情報を随時更新するため、より信頼性の高いレコメンド曲を表示させることができる。
【００５６】
なお、以下の変形例を採用可能である。
[変形例５]
上記の実施形態では、１以上の外部装置３００の中から、相性情報の取得元となる外部装置３００を選択したが、選択なしとしても良い。この場合、第１実施形態の相性情報入力部１１０を、第２実施形態に追加し、相性情報入力部１１０により入力された相性情報に基づいてレコメンド曲を決定すれば良い。また、相性情報入力部１１０で入力された相性情報と、外部装置３００から取得した相性情報の両方に基づいてレコメンド曲を決定しても良い。
【００５７】
[変形例６]
また、特に図示しないが、図８の表示システムＳＹのネットワークＮＷに、コンテンツ情報記憶部１３０を備えた外部装置をさらに接続し、表示装置１（および表示装置１と同じ構成の外部装置３００）において、当該コンテンツ情報記憶部１３０を参照して、相性度の表示やレコメンド曲の表示を行っても良い。
【００５８】
[その他の変形例]
上記の２つの実施形態では、本発明の表示装置をＰＣ（ＤＪ用アプリケーション）に適用した場合を例示したが、スマートフォンなどの各種タブレット端末や携帯電話等に適用しても良い。その他、ＤＪのパフォーマンスに用いられる専用機器（ＤＪコントローラー、ＤＪプレーヤー、ＤＪミキサーなど）に適用しても良い。また、ＤＪ用の専用機器以外にも、各種音楽プレーヤー、音楽再生アプリケーション、電子機器に、本発明の表示装置を適用しても良い。
【００５９】
また、上記の２つの実施形態では、２つのプレーヤーを操作可能なＤＪ用アプリケーションを例示したが、３つ以上のプレーヤーを操作可能としても良い。この場合、相性度表示部１４０は、例えば「曲Ａ」，「曲Ｂ」，「曲Ｃ」がロードされているものとすると、「曲Ａ」と「曲Ｂ」、「曲Ｂ」と「曲Ｃ」、「曲Ａ」と「曲Ｃ」など２曲間の相性度を表示しても良いし、３曲間の相性度を表示しても良い。
【００６０】
また、上記に示した表示装置１の各構成要素をプログラムとして提供することが可能である。また、そのプログラムを各種記録媒体（ＣＤ−ＲＯＭ、フラッシュメモリー等）に格納して提供することも可能である。すなわち、コンピューターを表示装置１の各構成要素として機能させるためのプログラム、およびそれを記録した記録媒体も、本発明の権利範囲に含まれる。
【００６１】
また、上記の実施形態では、コンテンツとして楽曲コンテンツを例示したが、映像コンテンツなど他のコンテンツに関連するレコメンド情報を表示する場合にも本発明を適用可能である。その他、本発明の要旨を逸脱しない範囲で、適宜変更が可能である。
【符号の説明】
【００６２】
１：表示装置  １１：プレーヤー部  １２：ブラウズ部  ２１：第１プレーヤー表示部  ３１：第２プレーヤー表示部  ４１：楽曲リスト表示領域  ４２：対象楽曲選択領域  ４３：レコメンド表示領域  １１０：相性情報入力部  １２０：相性情報取得部  １３０：コンテンツ情報記憶部  １４０：相性度表示部  １５０：レコメンド表示部  １６０：表示制御部  １７０：推奨度算出部  １８０：対象コンテンツ選択部  ２１０：外部装置選択部  ２２０：相性情報更新部  ３００：外部装置  ＮＷ：ネットワーク  ＳＹ：表示システム
【図１】
2015170264.tif 000003
【図２】
2015170264.tif 000004
【図３】
2015170264.tif 000005
【図４】
2015170264.tif 000006
【図５】
2015170264.tif 000007
【図６】
2015170264.tif 000008
【図７】
2015170264.tif 000009
【図８】
2015170264.tif 000010